(57)【要約】【課題】カバー取り外しの際、電源コードが確実に抜去され感電事故、短絡事故を防止することが可能で、本体に対するパネルの取り外しが容易な電子装置を提供する。【解決手段】電源コード４のプラグ部４ａをカバー３に設けたプラグ固定部プラグ固定部３ｅに固定させ、カバー３を本体１から取り外す際の背面方向スライド動作で電源コード４が強制的に本体１に設けられたＡＣインレット１ｐから抜去される。また、カバー３にパネル２取り付けの際、弾性体である本固定爪本固定爪２ｉを係合されるに変形させるガイド金具パネルガイド金具３ｃを設けることで、カバー３を本体１から取り外す際の背面方向スライド動作に連動して本固定爪本固定爪２ｉが係合解除する方向に戻り複数同時に係合解除できる。【選択図】図２
2014116447.tif 000002
【特許請求の範囲】
【請求項１】
ＡＣインレットを備える本体と、前記ＡＣインレットに挿入する電源コードのプラグを係止するプラグ固定部を有する筐体カバーと、を含む電子装置であって、
前記筐体カバーは、前記電源コードの挿入方向に前記本体上をスライドすることによって、前記本体に取り付けられ、
前記筐体カバーを前記本体から取り外すとき、前記筐体カバーの前記本体上のスライドによって、前記プラグ固定部は、前記プラグを前記ＡＣインレットから外すことを特徴とする電子装置。
【請求項２】
請求項１に記載の電子装置であって、
さらに、前記本体の正面に固定されるパネルを備え、
前記パネルは、弾性体爪を備え、
前記本体は、正面に固定穴をさらに備え、
前記筐体カバーは、ガイド金具をさらに備え、前記電源コードの挿入方向に前記本体上をスライドすることによって、前記ガイド金具は、前記弾性体爪を変形させて、前記固定穴に前記弾性体爪を固定して、前記パネルを前記本体に固定することを特徴とする電子装置。
【請求項３】
パネル固定穴を備える本体と、弾性体爪を備えるパネルと、ガイド金具を備える筐体カバーと、を含む電子装置であって、
前記パネルは、前記弾性体爪を、前記パネル固定穴に挿入し、
前記筐体カバーは、前記電源コードの挿入方向に前記本体上をスライドすることによって、前記本体に取り付けられ、
前記ガイド金具は、前記スライドによって、前記弾性体爪を変形させて、前記パネルを前記本体に取り付けることを特徴とする電子装置。
【発明の詳細な説明】
【技術分野】
【０００１】
本発明は電子装置に係り、特に分解する際に感電防止機構を備える電子装置に関する。
【背景技術】
【０００２】
コンピュータ、通信装置等の電子装置は、本体にＡＣインレットを一般に有しており、ＡＣインレットへ電源コードを嵌合することで電力供給される。これらの電子装置は、保守等により筺体カバーや正面／裏面パネル等を開けて、装置内部の修理等の作業をすることが有る。保守作業者が電子装置に電力を供給された状態でカバーを脱して作業を行った場合、感電事故、短絡事故に繋がるおそれがある。このような感電事故、短絡事故を防ぐため、カバーに設けた穴に電源コードを通すことで、電源コード等を筺体から抜去しないとカバーを取り外せない技術が特許文献１に開示されている。
【０００３】
特許文献１に記載された脱着機構は、電源コードの接続部を有する本体部に対し、接続部に接続される電源コードの貫通部を有するカバーを、貫通部に電源コードを貫通させた状態で一体的に係止させ、かつ任意に分離させることが可能な脱着機構であって、本体部とカバーとの間に構成され、カバーの、本体部との一体的な係止状態から接続部に接続された電源コードの長手方向に沿う第１の方向への移動を許容し、この第１の方向と直交し、接続部に接続された電源コードの干渉により移動が阻止される第２の方向への移動により、本体部からの分離を可能とする。
【０００４】
一方、コンピュータや通信装置等の電子装置では、意匠性を向上させるため本体正面にパネルを取り付ける場合がある。パネル取り付けの手法として固定爪によって係合する技術が特許文献２に開示されている。
【先行技術文献】
【特許文献】
【０００５】
【特許文献１】特開２０１１−１３８９８４号公報
【特許文献２】特開２０１２−０３５６９３号公報
【発明の概要】
【発明が解決しようとする課題】
【０００６】
特許文献１においては、電源コードをＡＣインレットに嵌合した状態でカバーを一定量スライドでき、電子装置内部を一部露出してしまうため、感電事故、短絡事故を完全に防ぐ事ができない。また、正面パネル等を備えたコンピュータや通信装置等の電子装置のような電子装置の場合、正面パネルを脱した箇所にセンサー類やボタン類を搭載する電子基板の一部が露出していることがある。このような電子装置の場合であっても、電源コードを外さずに正面パネルを脱し、上記と同様の保守作業を行う場合も考えられる。
【０００７】
更に、特許文献２に開示されたような正面パネルの取り付け方法においては、固定爪の引っ掛け構造にて固定しているパネルを取り外す際、固定爪を押し下げ係合解除する作業が煩雑である。また、サイズの大きい正面パネルの場合、固定爪が複数必要となり、同時に係合解除することが困難である。
【０００８】
本発明は、上記に鑑みてなされたものであって、カバーを取り外す作業を行うと、電源コードが邪魔となり、電源コードを本体から抜去しないとカバーを取り外せない機構とするとともに、電源コードを本体から抜去した後に、カバーを取り外すと正面パネルも容易に取り外せる機構を提供することを目的とする。
【課題を解決するための手段】
【０００９】
本発明の電子装置は、電源コードのプラグ部をカバーに設けたプラグ固定部に係止させ、カバーを本体から取り外す際の背面方向スライド動作で、電源コードが強制的に本体に設けられたＡＣインレットから抜去される。
【００１０】
また、カバーにパネルを取り付けの際、弾性体である本固定爪を係合される方向に変形させるガイド金具パネルガイド金具を設けることで、カバーを本体から取り外す際の背面方向スライド動作に連動して本固定爪が係合解除する方向に戻り複数同時に係合解除できる。
【００１１】
上述した課題は、ＡＣインレットを備える本体と、ＡＣインレットに挿入する電源コードのプラグを係止するプラグ固定部を有する筐体カバーと、を含む電子装置であって、筐体カバーは、電源コードの挿入方向に本体上をスライドすることによって、本体に取り付けられ、筐体カバーを本体から取り外すとき、筐体カバーの本体上のスライドによって、プラグ固定部は、プラグをＡＣインレットから外す電子装置により、達成できる。
【００１２】
また、パネル固定穴を備える本体と、弾性体爪を備えるパネルと、ガイド金具を備える筐体カバーと、を含む電子装置であって、パネルは、弾性体爪を、パネル固定穴に挿入し、筐体カバーは、電源コードの挿入方向に本体上をスライドすることによって、本体に取り付けられ、ガイド金具は、スライドによって、弾性体爪を変形させて、パネルを本体に取り付ける電子装置により、達成できる。
【発明の効果】
【００１３】
本発明によれば、カバーの取り外しとともに、電源コードをＡＣインレットより強制的に抜去する機構のため、電子機器内部の露出前にＡＣ電源の遮断が行える。
【００１４】
また、カバーを取り外さなければパネルを取り外すことができないとともに、カバーの取り外し動作により、電源コードが本体より抜去された後に容易にパネルを取り外すことができる。
【図面の簡単な説明】
【００１５】
【図１】電子装置の斜視図である。
【図２】電子装置の分解斜視図である。
【図３】本体１のパネル取り付け部１ａおよびカバー取り付け部１ｒの詳細斜視図である。
【図４】パネル２の詳細裏面斜視図である。
【図５】下部固定爪２ａと下部パネル固定穴１ｂの取り付け詳細断面図（係合前）である。
【図６】下部固定爪２ａと下部パネル固定穴１ｂの取り付け詳細断面図（係合後）である。
【図７】仮固定爪２ｄと仮固定穴１ｅの詳細側面図（係合前）である。
【図８】仮固定爪２ｄと仮固定穴１ｅの詳細側面図（接触開始）である。
【図９】仮固定爪２ｄと仮固定穴１ｅの詳細側面図（変形時）である。
【図１０】仮固定爪２ｄと仮固定穴１ｅの詳細側面図（係合後）である。
【図１１】本固定爪２ｉを本固定穴１ｉに挿入後の詳細側面図である。
【図１２】カバー３の詳細裏面斜視図である。
【図１３】カバー取り付け詳細斜視図（スライド前）である。
【図１４】カバー取り付け詳細斜視図（スライド後）である。
【図１５】本固定爪２ｉと本固定穴１ｉとパネルガイド金具３ｃの詳細断面図（係合前）である。
【図１６】本固定爪２ｉと本固定穴１ｉとパネルガイド金具３ｃの詳細断面図（接触開始）である。
【図１７】本固定爪２ｉと本固定穴１ｉとパネルガイド金具３ｃの詳細断面図（係合後）である。
【図１８】プラグ固定部３ｅの詳細裏面斜視図である。
【図１９】電源コード４の詳細斜視図である。
【図２０】カバー３取り付け後のＡＣインレット１ｂ詳細裏面斜視図である。
【図２１】電源プラグ４ａ嵌合状態の詳細裏面斜視図（嵌合後）である。
【図２２】嵌合状態の断面図である。
【図２３】プラグ固定部３ｅに電源コード４を取り付けた状態の裏面斜視図である。
【図２４】電源プラグ４ａ嵌合状態の詳細裏面斜視図（嵌合前）である。
【発明を実施するための形態】
【００１６】
以下、本発明の実施の形態について実施例を用い図面を参照しながら詳細に説明する。なお、実質同一部位には同じ参照番号を振り、説明は繰り返さない。
【００１７】
図１を参照して、電子装置の構成を説明する。図１において、電子装置１０は、本体１と、パネル２と、カバー３と、電源コード４と、図示しない搭載ＰＣＢ（Printed Circuit Board）５とを有している。
【００１８】
図２を参照して、電子装置の組み立てを説明する。図２において、搭載ＰＣＢ５を本体１に搭載した後、本体１に設けられた下部パネル固定穴１ｂ、仮固定穴１ｅ、本固定穴１ｉに、パネル２に設けられた下部固定爪２ａ、仮固定爪２ｄ、本固定爪２ｉを挿入し、爪を係合させることにより、本体１にパネル２を締結する。本体１に設けられたカバーガイド金具挿入溝１ｍとカバー３に設けられたカバーガイド金具３ａとを合わせてカバー３を本体１に載せ、正面方向にスライドさせることにより、本体１にパネル２を締結する。最後に、本体１に設けられたＡＣインレット１ｐに電源コード４を嵌合させる。
【００１９】
図３を参照して、本体１のパネル取り付け部１ａ、図４を参照して、パネル２の取り付け構造を説明する。図３において、本体１のパネル取り付け部１ａは、下部パネル固定穴１ｂと仮固定穴１ｅと本固定穴１ｉとを有する。
【００２０】
一方、図４において、パネル２は、下部固定爪２ａと、上部中央に仮固定爪２ｄと、上部両端に本固定爪２ｉとを有する。パネル取り付け部１ａの固定穴と、パネル２の固定爪とは、説明した順序に勘合する。本体１にパネル２を取り付ける際、先ず、パネル２に設けられた下部固定爪２ａを本体１の下部パネル固定穴１ｂに挿入する。
【００２１】
図５と図６を参照して、下部固定爪２ａと下部パネル固定穴１ｂの取り付け構造を説明する。図５において、下部固定爪２ａを下部パネル固定穴１ｂに設けられた下部パネル固定穴係止部１ｃに載せ、矢印Ａの方向にスライドする。図６において、下部固定爪係止部２ｃが下部パネル固定穴係止部１ｄに、下部固定爪係止部２ｂが下部パネル固定穴係止部１ｃに接触し、パネル２が本体１に固定される。なお、同時に仮固定爪２ｄが仮固定穴１ｅに仮固定され、本固定爪２ｉが本固定穴１ｉに挿入される。
【００２２】
図７ないし図１０を参照して、仮固定爪２ｄと仮固定穴１ｅの固定を説明する。仮固定爪２ｄと仮固定穴１ｅは、挿入前は図７のような状態である。挿入が始まると図８の通り仮固定爪ガイド面２ｅが仮固定穴上面エッジ１ｆと接触する。さらに挿入すると弾性体である仮固定爪２ｄは、図９の通り仮固定爪エッジ２ｆと仮固定穴係止部１ｇが接触するように変形しながら挿入されていき、図１０に示す位置で変形が解除され仮固定爪係止部２ｇが仮固定穴係止部１ｇと、仮固定爪係止部２ｈが仮固定穴係止部１ｈと係止し、パネル２が本体１に仮固定される。
【００２３】
図１１を参照して、本固定爪２ｉを本固定穴１ｉに挿入後を説明する。本固定爪２ｉを本固定穴１ｉは挿入後、図１１の状態になる。本固定爪２ｉは、あらかじめ本固定穴１ｉと干渉しない形状になっており、本固定爪２ｉを本固定穴１ｉに挿入したのみでは係合されていない。
【００２４】
図１２ないし図１４を参照して、本体へのカバー取り付けを説明する。図１２において、カバー３は、その下面にカバーガイド金具３ａと、カバーガイドスペース３ｂと、パネルガイド金具３ｃと、背面にねじ用穴３ｆと、プラグ固定部３ｅとを有する。
【００２５】
図１３において、カバー３に設けられたカバーガイド金具３ａと、本体１のカバー取り付け部１ｒに設けられたカバーガイド金具挿入溝１ｍを合わせた位置で、本体１にカバー３を載せる。
【００２６】
カバーガイドスペース３ｂにカバーガイド保持部端面１ｎが入り込むように矢印Ｂの方向にスライドさせてカバーガイド金具３ａがカバーガイド保持部１ｓに重なる位置までスライドすることにより天面および底面方向への係止がなされる。スライド後のカバーガイド金具３ａとカバーガイド金具挿入溝１ｍおよびカバーガイド保持部１ｓの位置関係は、図１４の通りとなる。
【００２７】
カバー３がスライドする動作に連動して、カバー３に設けられたパネルガイド金具３ｃは、パネル２の本固定爪２ｉを本体１に設けられた本固定穴１ｉへ係合する。これを図１５ないし図１７を参照して、説明する。
【００２８】
図１５において、カバー３のスライド動作前の状態は、本固定爪２ｉは本固定穴１ｉに挿入したのみでは係合されていない。
【００２９】
図１６において、カバー３を矢印Ｂの方向にスライド開始すると、本固定爪２ｉの本固定爪下部エッジ２ｊがカバー３に設けられたパネルガイド金具３ｃの本固定爪ガイド面３ｄと接触し、弾性体である本固定爪２ｉは本固定爪ガイド面３ｄの傾斜に沿って天面方向に押し上げられる形で変形してゆく。
図１７において、本固定爪係止部２ｋが本固定穴上面係止部１ｊと、本固定爪係止部２ｒが本固定穴上面係止部１ｋと係止し、本固定爪２ｉが本固定穴１ｉに固定される。
【００３０】
次に図１８〜図２２を用いて電源コード４の取り付けについて説明する。
図１８を参照して、プラグ固定部３ｅの詳細を説明する。図１８において、プラグ固定部３ｅは、プラグ貫通穴３ｇと、プラグ系止部３ｈと、プラグ系止部３ｉと、ケーブル固定部３ｊとで構成されている。
【００３１】
図１９を参照して、電源コード４の詳細を説明する。図１９において、電源コード４は、プラグ部４ａと、インレット嵌合部４ｂと、プラグ係止面（第一プラグ係止面）４ｃと、プラグ係止面（第二プラグ係止面）４ｄと、コード４ｅとで構成されている。
【００３２】
図２０を参照して、カバー３取り付け後のＡＣインレット１ｐの詳細を説明する。図２０において、カバー３のねじ用穴３ｆを介して、本体１に固定ねじ３ｋをねじ込み、カバー３を本体１に固定する。カバー３のプラグ固定部３ｅの背後に、ＡＣインレット１ｐ、プラグ挿入部１ｑが見える状態である。
【００３３】
図２１を参照して、プラグ部４ａ嵌合状態の詳細を説明する。図２１において、カバー３に設けられたプラグ固定部３ｅのプラグ貫通穴３ｇにプラグ部４ａのインレット嵌合部４ｂを挿入する。プラグ係止面４ｃがプラグ系止部３ｈに接触したところでプラグ係止面４ｄがプラグ系止部３ｉと、コード４ｅがケーブル固定部３ｊとそれぞれ係止し、プラグ部４ａがＡＣインレット１ｐに勘合される。
【００３４】
図２２を参照して、嵌合状態の断面を説明する。図２２において、プラグ固定部３ｅのプラグ系止部３ｉとプラグ部４ａのプラグ係止面４ｄが係止されている為プラグ部４ａがＡＣインレット１ｐから抜け落ちるのを防止する抜け止めの役割もはたしている。
【００３５】
電源コード４の取り付けは、以下の方法でも取り付け可能である。
図２３を参照して、プラグ固定部３ｅに電源コード４を取り付けた状態を説明する。図２３において、カバー３に設けられたプラグ固定部３ｅのプラグ貫通穴３ｇにプラグ部４ａのインレット嵌合部４ｂを挿入する。プラグ貫通穴３ｇの外形はインレット嵌合部４ｂが通り、プラグ係止面４ｃは通らない形状および寸法にしておく。プラグ係止面４ｃがプラグ系止部３ｈに接触したところで、プラグ係止面４ｄがプラグ系止部３ｉとコード４ｅが３ｊとそれぞれ係止し、図２３の通りプラグ固定部３ｅに電源コード４が取り付けられる。
【００３６】
図２４を参照して、電源プラグ４ａ嵌合状態の詳細を説明する。図２４において、本体１にカバー３を載せた状態では、電源コード４のプラグ部４ａは、本体１に設けられたＡＣインレット１ｐに挿入されていない。カバー３を正面側にスライドするとプラグ固定部３ｅのプラグ系止部３ｉとプラグ部４ａのプラグ係止面４ｄが係止されているため電源コード４はカバー３と一緒にスライドし、ＡＣインレット１ｐのプラグ挿入部１ｑにインレット嵌合部４ｂが挿入され、図２１の状態でＡＣインレット１ｐとプラグ部４ａは嵌合される。次にねじ用穴３ｆを介して、本体１に固定ねじ３ｋを取り付け、正面および背面方向への係止がなされる。
【００３７】
最後に、パネル２とカバー３の取外しについて説明する。
先ず、図２１に示す固定ねじ３ｋを取外し、本体１とカバー３の正面および背面方向への固定を解除する。カバー３を背面方向へスライドさせると、図１３に示すカバーガイド金具挿入溝１ｍとカバーガイド金具３ａが合った位置で、本体１とカバー３の天面および底面方向への係止が解除され、本体１からカバー３を取り外すことができる。この時、図２２の通りカバー３のプラグ固定部３ｅに取り付けられたプラグ部４ａはプラグ系止部３ｈがプラグ係止面４ｃと係止しているためカバー３と一緒にスライドしＡＣインレット１ｐからプラグ部４ａを強制的に抜去し、図２４の状態となり本体１への電源供給が遮断される。このため感電事故、短絡事故を防ぐ事ができる。
電源コード４が強制的に抜去されなくても、電源コード４が邪魔になってカバー３の取り外しがしにくくなるので、人手により電源コード４を抜去してもよい。
【００３８】
また、カバーガイド金具挿入溝１ｍとカバーガイド金具３ａが合った位置までカバー３をスライドさせると、同時に図１７に示すカバー３に設けられたパネルガイド金具３ｃも背面側に移動するため、弾性体である本固定爪２ｉは本固定爪ガイド面３ｄの傾斜に沿って変形が解除され、図１５の通り本固定爪係止部２ｋが本固定穴上面係止部１ｊと、本固定爪係止部２ｒが本固定穴上面係止部１ｋとそれぞれ係止解除され、複数の本固定爪２ｉが同時に係合解除できる。
【００３９】
これにより本体１とパネル２の固定は、仮固定爪２ｄと仮固定穴１ｅのみの固定となる。次に、保守者は、仮固定爪２ｄの仮固定爪ガイド面２ｅ近傍を底面方向へ押し下げるだけで、仮固定爪係止部２ｇが仮固定穴係止部１ｇと、仮固定爪係止部２ｈが仮固定穴係止部１ｈと係合解除する。これによって、パネル２を本体１から容易に取り外すことができる。
【００４０】
仮固定の数は、パネルの大きさに応じて決定すればよく、下部固定穴や爪の形状等によりパネルが落下しない構成の場合、仮固定の数をゼロとしてもよい。
【符号の説明】
【００４１】
１…本体、１ａ…パネル取り付け部、１ｂ…下部パネル固定穴、１ｃ…下部パネル固定穴係止部、１ｄ…下部パネル固定穴係止部、１ｅ…仮固定穴、１ｆ…仮固定穴上面エッジ、１ｇ…仮固定穴係止部、１ｈ…仮固定穴係止部、１ｉ…本固定穴、１ｊ…本固定穴上面係止部、１ｋ…本固定穴上面係止部、１ｒ…カバー取り付け部、１ｍ…カバーガイド金具挿入溝、１ｎ…カバーガイド保持部端面、１ｓ…カバーガイド保持部、１ｐ…ＡＣインレット、１ｑ…プラグ挿入部、２…パネル、２ａ…下部固定爪、２ｂ…下部固定爪係止部、２ｃ…下部固定爪係止部、２ｄ…仮固定爪、２ｅ…仮固定爪ガイド面、２ｆ…仮固定爪エッジ、２ｇ…仮固定爪係止部、２ｈ…仮固定爪係止部、２ｉ…本固定爪、２ｊ…本固定爪下部エッジ、２ｋ…本固定爪係止部、２ｒ…本固定爪係止部、３…カバー、３ａ…カバーガイド金具、３ｂ…カバーガイドスペース、３ｃ…パネルガイド金具、３ｄ…本固定爪ガイド面、３ｅ…プラグ固定部、３ｆ…ねじ用穴、３ｇ…プラグ貫通穴、３ｈ…プラグ系止部、３ｉ…プラグ系止部、３ｊ…ケーブル固定部、３ｋ…固定ねじ、４…電源コード、４ａ…プラグ部、４ｂ…インレット嵌合部、４ｃ…プラグ係止面（第一プラグ係止面）、４ｄ…プラグ係止面（第二プラグ係止面）、４ｅ…コード、１０…電子装置。
【図１】
2014116447.tif 000003
【図２】
2014116447.tif 000004
【図３】
2014116447.tif 000005
【図４】
2014116447.tif 000006
【図５】
2014116447.tif 000007
【図６】
2014116447.tif 000008
【図７】
2014116447.tif 000009
【図８】
2014116447.tif 000010
【図９】
2014116447.tif 000011
【図１０】
2014116447.tif 000012
【図１１】
2014116447.tif 000013
【図１２】
2014116447.tif 000014
【図１３】
2014116447.tif 000015
【図１４】
2014116447.tif 000016
【図１５】
2014116447.tif 000017
【図１６】
2014116447.tif 000018
【図１７】
2014116447.tif 000019
【図１８】
2014116447.tif 000020
【図１９】
2014116447.tif 000021
【図２０】
2014116447.tif 000022
【図２１】
2014116447.tif 000023
【図２２】
2014116447.tif 000024
【図２３】
2014116447.tif 000025
【図２４】
2014116447.tif 000026